(57)【要約】      （修正有）【課題】バスなどの座席に取り付け、飛沫の飛散を抑制するほか、視界や利便性の確保といった要望に応えることができ、思い出作りにも寄与できる簡易仕切を提供する。【解決手段】簡易仕切１１は、平面状の防護板２１と、その内部に設けた切り抜き２３を塞ぐフィルム３１との二要素で構成し、フィルム３１は、切り抜き２３の外側で防護板２１に貼り付けてある。また防護板２１の下部には、座席５１の背面中央に設置されている取っ手５５の内側に入り込む差し込み部２４を設けてあり、その左右両側には、取っ手５５が入り込む縦溝２５を設けてあり、簡易仕切１１は取っ手５５で保持され、その大半が座席５１よりも上方に突出することで、飛沫の飛散を抑制する。さらに切り抜き２３とフィルム３１によって視界を確保できるほか、切り抜き２３に動物などのモチーフを導入することで、思い出作りにも寄与できる。【選択図】図１
0003231292.tif 000002
【実用新案登録請求の範囲】
【請求項１】
平面状の防護板（２１）と、該防護板（２１）の内部に設けた切り抜き（２３）を塞ぐフィルム（３１）と、で構成してあり、該フィルム（３１）は、該切り抜き（２３）の外側で該防護板（２１）に貼り付けてあり、また該防護板（２１）の下部には、座席（５１）の背面中央に設置されている取っ手（５５）の内側に入り込む差し込み部（２４）を設けてあり、該差し込み部（２４）の左右両側には、該取っ手（５５）が入り込む縦溝（２５）を設けてあることを特徴とする簡易仕切。
【請求項２】
前記切り抜き（２３）は、何らかのモチーフに基づいた形状としてあることを特徴とする請求項１記載の簡易仕切。
【請求項３】
前記防護板（２１）の上部には、上方に突出するツマミ部（２６）を設けてあることを特徴とする請求項１または２記載の簡易仕切。
【請求項４】
前記座席（５１）の背面に設置されているテーブル（５６）のロック機構（５７）を操作できるよう、前記差し込み部（２４）の下端部中央には、上方に入り込んだ逃がし部（２７）を設けてあることを特徴とする請求項１から請求項３のいずれか一項に記載の簡易仕切。
【請求項５】
前記座席（５１）の肩部に設置されている手摺（５８）の使用を妨げないよう、前記防護板（２１）の側面下部には、内側に入り込んだ段差（２８）を設けてあることを特徴とする請求項１から請求項４のいずれか一項に記載の簡易仕切。
【考案の詳細な説明】
【技術分野】
【０００１】
本考案は、バスなどの座席に取り付け、飛沫の飛散を抑制する簡易仕切に関する。
【背景技術】
【０００２】
２０２０年に世界的規模でまん延した新型コロナウイルスによる感染症は、社会の至る所に影響を及ぼしており、新規の感染をできるだけ抑制するため、日常生活においては、密閉・密集・密接のいわゆる「三密」を避けることなどが提唱されている。このような状況において、航空機や鉄道やバスなどの公共交通機関では、不特定多数の乗客が入れ替わることなく狭い空間に居続けることから、感染の拡大要因となることが危惧されており、乗客にはマスクの着用を要請しているほか、換気の徹底や仕切の取り付けなど、様々な対策が講じられている。
【０００３】
このような公共交通機関などでの感染症対策に関する技術開発の例として、後記の特許文献が挙げられ、そのうち特許文献１では、電車やバス等の乗物の座席スペースでの飛沫感染などを防止する仕切りパネルが開示されている。この仕切りパネルは、隣り合うシートの境界部分に配置されるパネル本体と、このパネル本体を支持する取付部との二要素で構成され、パネル本体は、背もたれ同士の間から前方に展開して空間を区画しており、透光性を持たせることで圧迫感を軽減できるほか、防犯の面でも有利である。また取付部は、シート周辺の構造物に取り付けられ、振動や揺れに対抗してパネル本体を支持することができる。
【０００４】
次の特許文献２では、簡易な構成であり、必要に応じて着脱が可能な自動車用飛沫感染防止シートが開示されている。このシートは、タクシーを始めとする自動車の車内において、運転席を含む前部座席と乗客用の後部座席との間を完全に区画するために開発されたもので、前部座席の背後の全域を覆う透明樹脂製のシートと、このシートの外周部に取り付ける弾性シャフトと、この弾性シャフトを車内に取り付けるための取付具との三要素で構成され、シートは、前部座席の背後を隙間なく覆う形状としてある。また弾性シャフトは、グラスファイバーなどを素材としており、シートの外周部に沿うように配置され、その弾性力によってシートに張力を与え、面状に拡がった状態を維持する。そして取付具は、ゴム紐などを用いたもので、弾性シャフトをシートベルト折返し部などに引き寄せて固定する。
【先行技術文献】
【特許文献】
【０００５】
【特許文献１】実用新案登録第３２２８４６６号公報
【特許文献２】実用新案登録第３２２９５１０号公報
【考案の概要】
【考案が解決しようとする課題】
【０００６】
学校教育では、修学旅行や遠足などの行事でバスを利用することがあり、このような行事は、学生時代の貴重な思い出となることも多く、新型コロナウイルスによる感染症が終息しない状況においても、万全の対策を講じた上で実施したいとの要望がある。そのためバスの車内においては、前後の座席の間に簡易的な仕切を取り付けることが検討されている。
【０００７】
この仕切は、眺望や安全性などの観点から、ある程度の視界を確保する必要があり、しかも衛生面や管理上の観点から、繰り返して使用することは難しく、安価に供給すべきである。また座席には様々な装備が設置されているが、これらの使用を妨げないよう、その形状には十分な配慮が必要である。そのほか、飛沫の飛散の抑制に留まることなく、学生時代の思い出作りに寄与できることが望ましい。
【０００８】
本考案はこうした実情を基に開発されたもので、バスなどの座席に取り付け、飛沫の飛散を抑制するほか、視界や利便性の確保といった要望に応えることができ、しかも思い出作りにも寄与できる簡易仕切の提供を目的としている。
【課題を解決するための手段】
【０００９】
前記の課題を解決するための請求項１記載の考案は、平面状の防護板と、該防護板の内部に設けた切り抜きを塞ぐフィルムと、で構成してあり、該フィルムは、該切り抜きの外側で該防護板に貼り付けてあり、また該防護板の下部には、座席の背面中央に設置されている取っ手の内側に入り込む差し込み部を設けてあり、該差し込み部の左右両側には、該取っ手が入り込む縦溝を設けてあることを特徴とする簡易仕切である。
【００１０】
この簡易仕切は、防護板とフィルムで構成され、バスの座席の背面中央に設置されている取っ手に差し込み、その大半を座席よりも上方に突出させることで、前後の座席間で空気の流れを妨げ、飛沫などの飛散を抑制する効果を狙っている。そして防護板は、この簡易仕切の本体となるもので、文字通り単純な板状だが、視界を確保するため、防護板の内部には切り抜きを設けてある。切り抜きは、防護板の外部とつながることのない閉じた形状とすることもできるが、通常は防護板の上部で外部とつながり、開いた形状になる。
【００１１】
フィルムは、防護板の切り抜きを塞ぐもので、視界を確保しながら空気の流れを妨げる役割を担い、ごく薄い透明な合成樹脂を用いる。また防護板への貼り付けを考慮し、切り抜きを余裕で塞ぐことのできる大きさを確保し、その左右両端部を粘着テープや接着剤で防護板に貼り付けることになる。したがってフィルムは、切り抜きの形状を考慮する必要がなく、ロールに巻かれた汎用品から最適な幅の物を選択し、そこから必要な長さだけを切り出し、その左右両端部を防護板に貼り付ける。
【００１２】
防護板については、段ボールや合成樹脂など、様々な素材を選択可能である。ただし本考案による簡易仕切は、衛生面や管理上の観点から、一度で使い切ることが望ましく、防護板の素材については、製造コストやリサイクルの観点から、段ボールが最適である。段ボールは容易に変形するため、走行時の揺動などで不意に身体と接触した場合でも、重大な事態を避けることができる。なおフィルムについては、リサイクルに先立ち、防護板から取り外すことになる。
【００１３】
バスの座席配置は様々だが、観光バスや高速バスなどでは、前向きの座席が前後方向に並んでおり、個々の座席の背面中央には、その後席の人が使用する取っ手が設置されている。この取っ手は、着席時や離席時や揺動時などに身体を安定させるため、必要不可欠な装備であり、これを利用して防護板を直立させる。そのため防護板の下部には、取っ手が入り込む縦溝を横並びで二箇所に設けてあり、さらに左右の縦溝の間には、下方に突出する差し込み部を設けてあり、これが取っ手の内側に入り込む。そして差し込み部や縦溝の形状や配置を最適化することで、防護板が取っ手によって緩みなく保持され、直立した状態を維持できる。
【００１４】
請求項２記載の考案は、思い出作りに寄与するためのもので、切り抜きは、何らかのモチーフに基づいた形状としてあることを特徴とする。防護板の切り抜きは、あくまでも視界の確保を目的とするものであり、その形状は単純な長方形などでも構わないが、このように何らかのモチーフに基づいた形状とすることで、乗客などの関心を引き寄せ、思い出作りに寄与することができる。なおモチーフの具体例については、猫や犬などの動物の顔や、イルカなどの動物の体形のほか、漫画などのキャラクターが挙げられる。
【００１５】
本考案による簡易仕切は、座席と一体化する構造ではなく、自在に取り外すことができる。そのため、様々な観光地で設置されている記念撮影用の「顔出しパネル」と同様の機能を発揮することができる。つまり目的地などに到着した際、簡易仕切を車外に持ち出し、撮影スポットの前で自らの顔の前面に切り抜きを配置すると、ユーモラスな写真を撮影することができる。なお、切り抜きの形状が猫の顔をモチーフとしたものであれば、猫の顔の輪郭を有しつつ、中心部だけが自らの顔に置き換えられた写真を撮影することができる。
【００１６】
請求項３記載の考案は、防護板の形状に関するもので、防護板の上部には、上方に突出するツマミ部を設けてあることを特徴とする。簡易仕切を取り付ける際や取り外す際は、単純作業を繰り返すことになり、その一連の動作を簡単且つ確実に実施できることが望ましい。そこでこの考案のようにツマミ部を設けることで、取り付け時、多数が積層された簡易仕切を一枚ずつ摘み上げる際や、使用後に座席から取り外す際、指で触れる目標地点となり、作業を効率よく進めることができる。なお切り抜きのモチーフが動物の顔である場合、その耳をツマミ部とすることがある。
【００１７】
請求項４記載の考案は、着席時の利便性を考慮したもので、座席の背面に設置されているテーブルのロック機構を操作できるよう、差し込み部の下端部中央には、上方に入り込んだ逃がし部を設けてあることを特徴とする。観光バスなどの座席の背面には、後席の人が使用する折り畳み式のテーブルが設置されていることがある。このテーブルは、通常、座席の背面と一体化しているが、単純なロック機構を操作することで座席から切り離され、後席の人の前で水平になり、小物を載せるスペースを確保することができる。
【００１８】
本考案では、このロック機構の操作を妨げないよう、差し込み部の下端部に逃がし部を設けてある。逃がし部は、防護板とロック機構との干渉を防止できるならば、どのような形状でも構わないが、美観を考慮し、円弧状とすることが多い。この場合、差し込み部の中央が最も深く切り取られ、差し込み部の左右両端は、下方に突出した形状になる。
【００１９】
請求項５記載の考案は、通路を歩く際の利便性を考慮したもので、座席の肩部に設置されている手摺の使用を妨げないよう、防護板の側面下部には、内側に入り込んだ段差を設けてあることを特徴とする。観光バスなどでは、通路を歩く際の安全性を確保するため、通路側の座席の肩部に手摺が設置されており、この手摺の使用を妨げないよう、防護板の側面下部には、本考案のように段差を設けることもできる。なおこの段差は、必然的に防護板の左右両側面のうち、一方だけに設ければよいが、取り扱いを容易にするため、通常は両方に設ける。
【考案の効果】
【００２０】
請求項１記載の考案のように、簡易仕切を防護板とフィルムで構成し、防護板に切り抜きを設けた上、そこをフィルムで塞ぐほか、防護板の下部に差し込み部と縦溝を設けることで、バスなどの座席に設置されている取っ手を利用して簡易仕切を直立させることができ、その大半を座席よりも上方に突出させることで、前後の座席間で空気の流れを妨げ、飛沫などの飛散を抑制することができる。しかも防護板の切り抜きをフィルムで塞ぐことから、前方の視界が確保され、眺望や安全性にも優れている。なお本考案は、バスの座席での使用を想定したものだが、その構造上、鉄道車両の座席のほか、大勢の人が集まる施設などでも使用することができる。
【００２１】
さらに防護板の素材として段ボールを用いるならば、安価に供給できるほか、リサイクル方法が確立されており、処分も容易である。そのため本考案は、繰り返して使用する必要がなく、衛生面や管理の面でも優れている。また段ボールは容易に変形するため、走行時の揺動などで不意に身体と接触した場合でも、重大な事態を避けることができる。なお防護板には鋭利な角部を設けないほか、その製造段階で外縁部に面取りを施すなど、様々な安全対策を講じることが望ましい。
【００２２】
請求項２記載の考案のように、防護板の形状は、何らかのモチーフに基づくことで、乗客などの関心を引き寄せ、思い出作りに寄与することができる。しかも目的地などに到着した際は、簡易仕切を車外に持ち出し、「顔出しパネル」と同様の方法で記念撮影をすることもでき、思い出作りに深く寄与することができる。
【００２３】
請求項３記載の考案のように、防護板の上部には、上方に突出するツマミ部を設けることで、簡易仕切を取り付ける際や取り外す際、これが指で触れる目標地点となり、作業を効率よく進めることができる。また切り抜きのモチーフが動物の顔である場合、その耳をツマミ部とすることができ、乗客などの関心を引き寄せる効果も有する。
【００２４】
請求項４記載の考案のように、座席の背面に設置されているテーブルのロック機構を操作できるよう、防護板の差し込み部の下端部中央に逃がし部を設けることで、後席の人は、本考案による簡易仕切に妨げられることなく、従来と同様にテーブルを使用することができ、利便性が低下することはない。
【００２５】
請求項５記載の考案のように、座席の肩部に設置されている手摺の使用を妨げないよう、防護板の側面下部には、内側に入り込んだ段差を設けることで、通路を歩く際は、必要に応じて手摺を使用できるため、従来と同様の安全性が確保される。なお段差の上方では、防護板の横幅が増大するため、空気の流れを妨げる効果も確保されている。
【図面の簡単な説明】
【００２６】
【図１】本考案による簡易仕切の形状例を示す斜視図であり、ここではバスの座席に取り付けることを想定している。
【図２】図１の後、個々の座席に簡易仕切を取り付けた状態を示す斜視図である。
【図３】猫の顔をモチーフとした簡易仕切の詳細を示しており、図の上方はフィルムの貼り付けを示す斜視図であり、図の下方はフィルムを貼り付けた後の正面図である。
【図４】切り抜きのモチーフの具体例を示す正面図であり、図の上方の簡易仕切は、熊の顔をモチーフとしたもので、図の下方の簡易仕切は、イルカの体形をモチーフとしたものである。
【考案を実施するための形態】
【００２７】
図１は、本考案による簡易仕切１１の形状例を示しており、ここではバスの座席５１に取り付けることを想定している。簡易仕切１１は、段ボール製の防護板２１にフィルム３１を貼り付けた構成としてあり、その下部が座席５１の背面中央の取っ手５５で保持され、その上方を座席５１から突出させることで、空気の流れを妨げる。また防護板２１は長方形を基調としているが、その内部には切り抜き２３を設けてあり、前方の視界を確保している。なお切り抜き２３は、猫の顔をモチーフとしており、しかもその外縁は防護板２１の上端に到達しており、外部に開いた構成になっている。
【００２８】
フィルム３１は、切り抜き２３を隙間なく塞ぐ大きさを確保してあり、しかもフィルム３１は透明であるため、空気の流れを妨げながらも視界を確保することができ、この座席５１の後席の人は、猫の顔に似た切り抜き２３を通して眺望を得られることになる。なおフィルム３１の左右両端部には、防護板２１への貼り付けのため、接着剤が塗布されているが、美観上、フィルム３１は、防護板２１の裏側（図の右上側）に貼り付けることが多い。
【００２９】
防護板２１の上部には、左右二箇所にツマミ部２６が突出しており、これを利用して簡易仕切１１の着脱を行うことができる。なおツマミ部２６は、切り抜き２３と一体的に形成され、猫の耳に相当する部位となっている。また防護板２１の側面下部には、内側に入り込んだ段差２８を設けてある。そして防護板２１の下部には、左右に並ぶ二列の縦溝２５を設けてある。縦溝２５は、防護板２１の下端面から伸びているが、切り抜き２３に到達することはなく、その手前で途切れている。さらに左右の縦溝２５で挟まれる区間は、下方に突出する差し込み部２４としてあるが、この下方に逃がし部２７を設けるため、差し込み部２４の下端は円弧状に形成してある。
【００３０】
図の座席５１は、観光バスなどの二人掛けを想定しており、二個の背もたれ５２が横に並んでおり、図の右下が通路側で、図の左上が窓側である。そのため図の右側の背もたれ５２の角部には、通路を歩く際に使用する手摺５８を設けてある。また個々の背もたれ５２の背面には、後席の人が使用する取っ手５５とテーブル５６が設置されている。取っ手５５は背もたれ５２の中央上部に位置しており、着席時や離席時のほか、激しい揺動に耐える際などに用いる。そして、取っ手５５の直下に位置するテーブル５６は折り畳み式であり、通常は背もたれ５２と一体化しているが、その上のロック機構５７を操作することで、手前に引き出すことができる。
【００３１】
座席５１に簡易仕切１１を取り付ける際は、まず一枚の簡易仕切１１を摘み上げ、次に防護板２１の差し込み部２４を取っ手５５の真上に配置し、その後、簡易仕切１１を徐々に下降させ、差し込み部２４を取っ手５５の内側に入り込ませるほか、縦溝２５の中に取っ手５５を収容していき、最終的に取っ手５５が縦溝２５の終端に到達すると、簡易仕切１１が座席５１に取り付けられた状態になり、その大部分が背もたれ５２よりも上方に突出する。なおこの際、段差２８により、防護板２１と手摺５８との接触を防止でき、手摺５８の使用を妨げることがない。また逃がし部２７により、防護板２１とロック機構５７との接触を防止でき、テーブル５６の使用を妨げることもない。
【００３２】
図２は、図１の後、個々の座席５１に簡易仕切１１を取り付けた状態を示している。取っ手５５は縦溝２５の終端に到達しており、その隣の差し込み部２４は取っ手５５の内側を通り抜け、ロック機能５７の近傍に到達している。その結果、簡易仕切１１は、安定した状態で座席５１に取り付けられ、揺動にも耐えて座席５１から離脱することはない。また防護板２１は、背もたれ５２よりも上方に突出しており、空気の流れを妨げるほか、切り抜き２３とフィルム３１によって視界が確保されている。
【００３３】
この図のように、二人掛けの座席５１のそれぞれに簡易仕切１１を取り付けた場合、二枚の防護板２１が隙間なく並ぶよう、その横幅を調整してある。しかしその結果、背もたれ５２の肩部では、防護板２１と手摺５８と接触し、その使用を妨げる恐れがある。そこで防護板２１の側面下部には、内側に入り込んだ段差２８を設けてある。なお座席５１の中央では、それぞれの段差２８が隣り合うため、隙間が大きくなるが、この隙間の多くは背もたれ５２で埋められる。そのため段差２８は、防護板２１の左右両側面に設けてあり、簡易仕切１１を取り付ける際は、段差２８の向きを考慮する必要がなく、作業時の手間を省くことができる。
【００３４】
防護板２１の差し込み部２４は、簡易仕切１１の安定性を確保するため、ある程度の長さが必要であり、必然的に背もたれ５２の背面のロック機構５７と隣接する。そこでロック機構５７の操作を妨げないよう、差し込み部２４の下端は円弧状としてあり、差し込み部２４の中央には逃がし部２７が形成され、そこにロック機構５７が入り込む。当然ながら逃がし部２７の形状は、ロック機構５７の配置や大きさに基づいて決めることになる。
【００３５】
図３は、猫の顔をモチーフとした簡易仕切１１の詳細を示している。この簡易仕切１１を構成する防護板２１は、猫の顔をモチーフとした切り抜き２３を形成してあり、切り抜き２３の全体を塞ぐようにフィルム３１を貼り付けると、簡易仕切１１が完成する。フィルム３１は、防護板２１の大きさに応じた幅の物を選択しており、その左右両端部には接着剤３２が塗布されており、これを防護板２１に押し付けるだけでフィルム３１の貼り付けが完了する。そのほか猫の顔との類似性を増すため、防護板２１の切り抜き２３は一箇所だけではなく、耳や口に相当する部分にも小さい切り抜き２３を配置してある。
【００３６】
図４は、切り抜き２３のモチーフの具体例を示しており、図の上方の簡易仕切１２は、熊の顔をモチーフとしたもので、また図の下方の簡易仕切１３は、イルカの体形をモチーフとしたものである。なお図の上方では、ツマミ部２６が熊の耳に相当する部位になっており、図の下方では、ツマミ部２６がイルカの背ビレに相当する部位になっている。
【００３７】
このように本考案では、切り抜き２３に様々なモチーフを導入することで、飛沫の飛散を抑制するといった本来の機能のほか、乗客などの関心を引き寄せる機能も有する。しかもこれらの簡易仕切１１、１２、１３は、着脱が極めて簡単であり、目的地に到着した際、これを持ち出し、切り抜き２３に自らの顔を重ね合わせることで、従来の「顔出しパネル」と同様の写真を撮影することができ、思い出を将来に残すこともできる。
【符号の説明】
【００３８】
１１  簡易仕切（猫の顔をモチーフとしたもの）
１２  簡易仕切（熊の顔をモチーフとしたもの）
１３  簡易仕切（イルカの体形をモチーフとしたもの）
２１  防護板
２３  切り抜き
２４  差し込み部
２５  縦溝
２６  ツマミ部
２７  逃がし部
２８  段差
３１  フィルム
３２  接着剤
５１  座席
５２  背もたれ
５５  取っ手
５６  テーブル
５７  ロック機構
５８  手摺
【図１】
0003231292.tif 000003
【図２】
0003231292.tif 000004
【図３】
0003231292.tif 000005
【図４】
0003231292.tif 000006